(57)【要約】【課題】簡易な構成で密閉ケースの内圧を低下させること。【解決手段】電池パック１０は、密閉ケースに複数の電池モジュールが収容されている。密閉ケースは、有底四角筒状のケース本体を有している。ケース本体の開口部は、ボルトＢによってケース本体に固定された矩形板状の蓋部材１４によって閉塞されている。蓋部材１４に設けられた挿通孔１７のうち、角部１４ａの最も近くに設けられた第１の挿通孔１８と、この第１の挿通孔１８に隣り合う第２の挿通孔１９の離間距離は、他の挿通孔１７同士の離間距離の２倍となっている。第１の挿通孔１８に挿通された第１のボルトＢ１と第２の挿通孔１９に挿通された第２のボルトＢ２の離間距離ｄ１は、他のボルトＢ同士の離間距離ｄ２に比べて２倍の長さとなっている。【選択図】図２
2015028907.tif 000002
【特許請求の範囲】
【請求項１】
開口部を有するケース本体に、前記開口部を閉塞する蓋部材を複数のボルトによって固定した密閉ケースと、
前記密閉ケースに収容された電池セルと、を備えた電池パックであって、
隣り合う前記ボルトの離間距離を比較すると、特定の隣り合う二つのボルトの離間距離は、他の隣り合う二つのボルトの離間距離よりも長いことを特徴とする電池パック。
【請求項２】
開口部を有するケース本体に、前記開口部を閉塞する多角形状の蓋部材を等間隔で並設された複数のボルトによって固定した密閉ケースと、
前記密閉ケースに収容された電池セルと、を備えた電池パックであって、
前記蓋部材において、少なくとも一つの角部から最も近い位置に設けられた前記ボルトまでの距離は、他の角部から最も近い位置に設けられた前記ボルトまでの距離に比べて長いことを特徴とする電池パック。
【請求項３】
開口部を有するケース本体と、
当該ケース本体の前記開口部を形成する開口縁部上に設けられ、前記開口部を閉塞する多角形状の蓋部材と、
前記蓋部材を前記開口縁部に締結する複数のボルトと、を有する密閉ケースと、
前記密閉ケースに収容された電池セルと、を備えた電池パックであって、
前記複数のボルトは、前記蓋部材の角部に近接する二つの近接ボルトと、前記二つの近接ボルトよりも前記角部から離間した位置に設けられる他のボルトからなり、
前記蓋部材の前記開口縁部と対向する部分において、前記二つの近接ボルト各々から付勢力を受ける領域を第１領域とし、前記他のボルトのうち隣接する二つのボルト各々から付勢力を受ける領域を第２領域とした場合、
複数の前記第１領域のうち少なくとも一つの前記第１領域において、前記二つの近接ボルトから受ける付勢力の合成力が最も弱い部分の付勢力は、前記第２領域における前記隣接する二つのボルトから受ける付勢力の合成力が最も弱い部分の付勢力よりも弱いことを特徴とする電池パック。
【発明の詳細な説明】
【技術分野】
【０００１】
本発明は、密閉ケースに電池セルを収容した電池パックに関する。
【背景技術】
【０００２】
電池セルを密閉ケースに収容した電池パックにおいては、密閉ケースの内圧が高まったときに密閉ケースの内圧を低下させる必要がある。例えば、特許文献１に記載の密閉式二次電池は、連設された複数の電槽を有する角形電槽を備えている。各電槽には、極板群が電解液とともに収容されている。角形電槽には、ガス集合部が設けられている。ガス集合部と各電槽との間には、各電槽の内部圧力が所定以上になると開口するガス排出部が設けられている。ガス集合部には、ガスを外部に導出するガス出口が設けられている。そして、各電槽でガスが発生し、内圧が高まると、排出口からガス集合部にガスが排出される。これにより、各電槽の内圧が低下する。ガス集合部に排出されたガスは、ガス出口から外部に導出される。
【先行技術文献】
【特許文献】
【０００３】
【特許文献１】特開２００４−１７８９０９号公報
【発明の概要】
【発明が解決しようとする課題】
【０００４】
ところで、特許文献１に記載の密閉式二次電池は、各電槽の排出口と連通されるガス集合部を設けたり、ガス集合部にガス出口を設ける必要があり、形状が複雑化している。
本発明は、このような従来技術の問題点に鑑みてなされたものであり、その目的は、簡易な構成で密閉ケースの内圧を低下させることができる電池パックを提供することにある。
【課題を解決するための手段】
【０００５】
上記課題を解決する電池パックは、開口部を有するケース本体に、前記開口部を閉塞する蓋部材を複数のボルトによって固定した密閉ケースと、前記密閉ケースに収容された電池セルと、を備えた電池パックであって、隣り合う前記ボルトの離間距離を比較すると、特定の隣り合う二つのボルトの離間距離は、他の隣り合う二つのボルトの離間距離よりも長いことを要旨とする。
【０００６】
これによれば、密閉ケースの内圧が高まると、蓋部材には圧力が加わる。蓋部材は、ボルトによってケース本体に押さえつけられているため、圧力を受けても変形しにくいが、離間距離が長い特定の隣り合う二つのボルトの間の部分は、ケース本体への押しつけ力が弱い。このため、蓋部材における特定のボルトの間の部分は、他のボルト同士の間の部分に比べて、ケース本体から離れる方向に変形しやすい。このため、密閉ケースの内圧が高まると、蓋部材においては、特定のボルトの間の部分が最も早く変形し、ケース本体と蓋部材との間に隙間が形成される。この隙間によって圧力が開放され、内圧が低下する。一部のボルトの離間距離を長くして蓋部材の一部を変形しやすくすることで密閉ケースの内圧を低下できるようにしているため、簡易な構成で密閉ケースの内圧を低下させることができる。
【０００７】
上記課題を解決する電池パックは、開口部を有するケース本体に、前記開口部を閉塞する多角形状の蓋部材を等間隔で並設された複数のボルトによって固定した密閉ケースと、前記密閉ケースに収容された電池セルと、を備えた電池パックであって、前記蓋部材において、少なくとも一つの角部から最も近い位置に設けられた前記ボルトまでの距離は、他の角部から最も近い位置に設けられた前記ボルトまでの距離に比べて長いことを要旨とする。
【０００８】
蓋部材の角部は、他の部分に比べて変形しやすい。少なくとも一つの角部から最も近い位置に設けられたボルトまでの距離を、他の角部から最も近いボルトまでの距離よりも長くすることで、ボルトまでの距離が長い角部でのケース本体への押しつけ力が弱くなり、その角部が変形しやすい。このため、密閉ケースの内圧が高まると、角部が変形し、ケース本体と蓋部材との間に隙間が形成される。この隙間によって圧力が開放されることで、内圧が低下する。角部から最も近いボルトまでの距離を異ならせて蓋部材の一部を変形しやすくすることで密閉ケースの内圧を低下できるようにしているため、簡易な構成で密閉ケースの内圧を低下させることができる。
【０００９】
上記課題を解決する電池パックは、開口部を有するケース本体と、当該ケース本体の前記開口部を形成する開口縁部上に設けられ、前記開口部を閉塞する多角形状の蓋部材と、前記蓋部材を前記開口縁部に締結する複数のボルトと、を有する密閉ケースと、前記密閉ケースに収容された電池セルと、を備えた電池パックであって、前記複数のボルトは、前記蓋部材の角部に近接する二つの近接ボルトと、前記二つの近接ボルトよりも前記角部から離間した位置に設けられる他のボルトからなり、前記蓋部材の前記開口縁部と対向する部分において、前記二つの近接ボルト各々から付勢力を受ける領域を第１領域とし、前記他のボルトのうち隣接する二つのボルト各々から付勢力を受ける領域を第２領域とした場合、複数の前記第１領域のうち少なくとも一つの前記第１領域において、前記二つの近接ボルトから受ける付勢力の合成力が最も弱い部分の付勢力は、前記第２領域における前記隣接する二つのボルトから受ける付勢力の合成力が最も弱い部分の付勢力よりも弱いことを要旨とする。
【００１０】
これによれば、密閉ケースの内圧が高まると、第１領域が第２領域よりも早く開口縁部から離れる方向に変形して、ケース本体と蓋部材との間に隙間が形成される。この隙間によって圧力が開放されることで、内圧が低下する。
【発明の効果】
【００１１】
本発明によれば、簡易な構成で密閉ケースの内圧を低下させることができる。
【図面の簡単な説明】
【００１２】
【図１】第１の実施形態の電池パックを示す分解斜視図。
【図２】第１の実施形態の電池パックを示す正面図。
【図３】第１の実施形態の電池パックを示す断面図。
【図４】第１の実施形態の電池セルを示す断面図。
【図５】別例の電池パックを示す正面図。
【図６】（ａ）及び（ｂ）は、第１の実施形態の電池パックの作用を説明するための側面図。
【図７】第２の実施形態の電池パックを示す正面図。
【発明を実施するための形態】
【００１３】
（第１の実施形態）
以下、電池パックの第１の実施形態について説明する。
図１に示すように、電池パック１０は、密閉ケース１１に複数の電池モジュール２１が収容されている。密閉ケース１１は、有底四角筒状のケース本体１２を有している。詳述すると、本実施形態のケース本体１２は、四角形状の底板と、当該底板の４つの辺から立設する側壁とから構成されている。ケース本体１２の開口部３３は、並設された複数のボルトＢによってケース本体１２に固定された矩形板状の蓋部材１４によって閉塞されている。ボルトＢは、全て同一のボルトである。ケース本体１２と蓋部材１４との間には、シール材１５が設けられている。
【００１４】
ケース本体１２において、開口部３３を形成する開口縁部３２（各側壁の底板とは反対側の端部）における端面には、ボルトＢが螺合される螺合穴１６が設けられている。同様に、蓋部材１４の周縁には、ボルトＢが挿通される挿通孔１７が設けられている。そして、ボルトＢは、蓋部材１４に設けられた挿通孔１７に挿通されるとともに、ケース本体１２の螺合穴１６に螺合されることで、蓋部材１４をケース本体１２に固定している。これにより、蓋部材１４は、開口縁部３２上に設けられ、開口縁部３２が形成する開口部３３を閉塞している。
【００１５】
図２に示すように、隣り合う挿通孔１７の離間距離は、蓋部材１４に設けられた挿通孔１７のうち、角部１４ａの最も近くに設けられた挿通孔１８（以下、第１の挿通孔１８という）と、この第１の挿通孔１８に隣り合う一つの挿通孔１９（以下、第２の挿通孔１９という）との離間距離が最も長い。他の挿通孔１７同士の離間距離、第１の挿通孔１８と挿通孔１７の離間距離、第２の挿通孔１９と挿通孔１７の離間距離は、全て同一距離となっている。なお、ここでいう「同一」とは、製造上の誤差程度であれば許容するものである。
【００１６】
本実施形態では、第１の挿通孔１８と第２の挿通孔１９の離間距離は、他の挿通孔１７同士の離間距離の２倍の長さとなっている。各挿通孔１７には、ボルトＢが挿通される。このため、第１の挿通孔１８に挿通された第１のボルトＢ１と第２の挿通孔１９に挿通された第２のボルトＢ２の離間距離ｄ１（ボルトＢの軸部の中心間距離）は、他のボルトＢ同士の離間距離ｄ２に比べて２倍の長さとなっている。なお、第１のボルトＢ１と第１のボルトＢ１に隣り合うボルトＢの離間距離及び第２のボルトＢ２と第２のボルトＢ２に隣り合うボルトＢの離間距離は、他のボルトＢ同士の離間距離ｄ２と同一である。すなわち、隣り合うボルトＢの離間距離を比較すると、第１のボルトＢ１と第２のボルトＢ２の離間距離ｄ１は、他の隣り合う二つのボルトＢの離間距離ｄ２よりも長い。よって、第１のボルトＢ１と第２のボルトＢ２が特定の隣り合う二つのボルトとなる。
【００１７】
図３に示すように、電池モジュール２１は、複数の電池セル２２を有している。
図４に示すように、電池セル２２（例えば、リチウムイオン二次電池や、ニッケル水素蓄電池）は、電池ケース２３の内部に電極組立体２４及び電解液２５が収容されている。電池ケース２３は、電極組立体２４を収容する有底箱状の本体２６と、本体２６の開口部を閉塞する矩形板状の蓋２７とから構成されている。蓋２７には、蓋２７の厚み方向に貫通する孔２８が形成されるとともに、この孔２８には、電池ケース２３の内圧が規定圧力を超えたときに開放される弁２９が設けられている。なお、この「規定圧力」は、電池ケース２３の内圧が高まったときに、電池ケース２３が破損する前に弁２９が破断するような圧力に設定される。
【００１８】
次に、本実施形態の電池パック１０の作用について説明する。
電池セル２２に異常が生じると、電池ケース２３内で気体が発生し、電池ケース２３の内圧が上昇する。電池ケース２３の内圧が規定圧力を超えると、電池ケース２３に設けられた弁２９が破断する。そして、電池ケース２３に設けられた弁２９が破断すると、電池ケース２３内の気体（例えば、水素）が密閉ケース１１内に放出されて、密閉ケース１１の内圧が上昇する。
【００１９】
そして、複数の電池セル２２から気体が放出され、密閉ケース１１の内圧が高まっていくと、蓋部材１４に加わる圧力も次第に大きくなる。蓋部材１４は、厚み方向（開口縁部３２から離れる方向）に変形しようとするが、ボルトＢによって変形が抑制され、変形しにくくなっている。ボルトＢの離間距離が長い部分では、ボルトＢが蓋部材１４をケース本体１２に押しつける力が弱い。このため、第１のボルトＢ１と第２のボルトＢ２の間の部分が最も変形しやすくなっている。
【００２０】
図６（ａ）及び（ｂ）に示すように、密閉ケース１１の内圧が上昇していくと、蓋部材１４における第１のボルトＢ１と第２のボルトＢ２の間の部分がケース本体１２から離れる方向（蓋部材１４の厚み方向）に変形する。そして、蓋部材１４が変形することでケース本体１２と蓋部材１４との間には、隙間Ｓが形成され、この隙間Ｓから密閉ケース１１内に溜まった気体が外部に排出される。密閉ケース１１から気体が排出され、密閉ケース１１の内圧が低下すると、弾性範囲内で蓋部材１４は元の形状（図６（ａ）に示す形状）に戻る。
【００２１】
ところで、製造上の誤差、電池パック１０の周囲に配置される部材を避けてのボルトの締結、密閉ケース１１の形状などの要因によって、意図せず一部の隣り合うボルトＢの離間距離が長くなる場合がある。このような場合、意図せず隣り合うボルトＢの離間距離が長くなった部分からガスが排出されることが想定されていないため、意図せず隣り合うボルトＢの離間距離が長くなった部分の周辺に配置された部材が、排出される気体によって悪影響を受ける場合がある。
【００２２】
本実施形態の電池パック１０では、ボルトＢの離間距離を変更することで、意図的に変形しやすい部分を設けて、この部分を気体の排出口としている。このため、排出される気体によって悪影響を受けてしまう部材を排出口から離間させて配置することが可能となる。
【００２３】
したがって、上記実施形態によれば、以下のような効果を得ることができる。
（１）第１のボルトＢ１と第２のボルトＢ２の離間距離ｄ１を他のボルトＢの離間距離ｄ２よりも長くすることで、密閉ケース１１の内圧が高まったときに、蓋部材１４における第１のボルトＢ１と第２のボルトＢ２の間の部分が変形しやすいようにしている。このため、蓋部材１４をケース本体１２に固定するためのボルトＢの離間距離を変更するだけで排出される気体の排出位置を規定することができる。
【００２４】
（２）また、破断式の開放弁などを用いて、密閉式ケース内の気体が外部に排出されるようにすると、密閉ケース１１の内圧が高まり、開放弁が破断すると、再度電池パック１０を利用するためには、破断した開放弁を交換する必要がある。本実施形態では、蓋部材１４が変形（弾性変形）し、密閉ケース１１の内圧が低下すると、蓋部材１４の変形が弾性範囲内であれば、蓋部材１４は元の形状に戻る。このため、密閉ケース１１内の気体を放出後も蓋部材１４を交換する必要がない。
【００２５】
（第２の実施形態）
以下、電池パックの第２の実施形態について説明する。
以下の説明において、第１の実施形態と同様な構成については、その説明を省略する。
【００２６】
図７に示すように、第２の実施形態の電池パック３０における矩形平板状の蓋部材３１には、４つの端部のそれぞれにボルトＢが設けられている。ボルトはＢ同士の離間距離ｄ６（ボルトＢの軸部同士の離間距離）は、全て等間隔となっている。なお、ここでいう「等間隔」とは、製造上の誤差程度であれば許容するものである。
【００２７】
複数のボルトＢのうち、各角部１４ａ〜１４ｄに近接した二つのボルトＢを近接ボルトＢ３とすると、他のボルトＢは、近接ボルトＢ３に比べて角部１４ａ〜１４ｄから離間している。本実施形態では、角部１４ａ〜１４ｄから二つの近接ボルトＢ３までの距離ｄ５は同一となっている。また、角部１４ａ〜１４ｄまでの距離ｄ５と、ボルトＢ同士の離間距離ｄ６は同一距離となっている。
【００２８】
ボルトＢから蓋部材３１が受ける付勢力は、ボルトＢの中心を中心として蓋部材３１に付与され、ボルトＢの中心から離間するほど弱くなる。ここで、本実施形態の蓋部材３１における開口縁部３２と対向する部分において、二つの近接ボルトＢ３の各々から付勢力を受ける領域を第１領域Ａ１とした場合、第１領域Ａ１において、二つの近接ボルトＢ３から受ける付勢力の合成力が最も弱い部分は、各角部１４ａ〜１４ｄとなる。以下の説明において、第１領域Ａ１におけるボルトＢの付勢力が最も弱い部分、すなわち、各角部１４ａ〜１４ｄを、第１弱領域Ｗ１という。
【００２９】
また、蓋部材３１における開口縁部３２と対向する部分において、他のボルトＢのうち、隣接する二つのボルトＢ７，Ｂ８各々から付勢力を受ける領域を第２領域Ａ２とする。この第２領域Ａ２において、他のボルトＢのうち、隣接する二つのボルトＢ７，Ｂ８各々の中心を結ぶ仮想線Ｌ１１の中点Ｐ１から、蓋部材３１の最も近い辺に向けて（開口部３３とは反対側に向けて）延びる垂線Ｌ１２と蓋部材３１の辺との交点を第２弱領域Ｗ２とする。第２弱領域Ｗ２は、開口縁部３２と対向する部分において、隣接する二つのボルトＢ７，Ｂ８からの付勢力の合成力が最も弱い部分となる。
【００３０】
そして、第１弱領域Ｗ１と、第２弱領域Ｗ２とを比較すると、第１弱領域Ｗ１の付勢力は、第２弱領域Ｗ２の付勢力に比べて弱い。具体的にいえば、第１弱領域Ｗ１から二つの近接ボルトＢ３までの距離と、第２弱領域Ｗ２から二つの隣接するボルトＢ７，Ｂ８までの距離を比較すると、第１弱領域Ｗ１から近接ボルトＢ３までの距離が、第２弱領域Ｗ２から隣接する二つのボルトＢ７，Ｂ８までの距離に比べて長い。したがって、第１弱領域Ｗ１には、近接ボルトＢ３の付勢力が付与されにくく、第１弱領域Ｗ１が二つの近接ボルトＢ３から受ける付勢力の合成力は、第２弱領域Ｗ２が隣接する二つのボルトＢ７，Ｂ８から受ける付勢力の合成力に比べて弱い。なお、本実施形態では、複数の第１領域Ａ１のうち全ての第１領域Ａ１の第１弱領域Ｗ１が二つの近接ボルトＢ３から受ける付勢力の合成力が、第２弱領域Ｗ２が隣接する二つのボルトＢ７，Ｂ８から受ける付勢力の合成力に比べて弱い。
【００３１】
次に、第２の実施形態の電池パック３０の作用について説明する。
電池セル２２に異常が生じて、電池ケース２３内の気体（例えば、水素）が密閉ケース１１内に放出されると、密閉ケース１１の内圧が上昇していく。蓋部材３１は、ボルトＢから受ける付勢力が弱い部分が変形しやすく、第１弱領域Ｗ１と第２弱領域Ｗ２では、第１弱領域Ｗ１の方がボルトＢからの付勢力が弱い。このため、密閉ケース１１の内圧が上昇していくと、第１領域Ａ１が変形する。そして、第１領域Ａ１が変形すると、第１領域Ａ１が開口縁部３２から離れる方向に変形し、開口縁部３２と第１領域Ａ１との間に隙間が形成される。この隙間から密閉ケース１１内の気体が放出されることで、密閉ケース１１の内圧が開放される。
【００３２】
したがって、ボルトＢ同士の離間距離と、角部１４ａ〜１４ｄからボルトＢまでの距離が同一であっても、第１領域Ａ１を弁として機能させ、密閉ケース１１の圧力を開放することができる。
【００３３】
なお、実施形態は、以下のように変更してもよい。
○  図５に示すように、隣り合うボルトＢ同士の離間距離は全て等間隔であってもよい。なお、ここでいう「等間隔」とは、製造上の誤差程度であれば許容するものである。一つの角部１４ａから最も近い位置に設けられた挿通孔１７までの距離は、他の角部１４ｂから最も近い位置に設けられた挿通孔１７までの距離に比べて長い。したがって、一つの角部１４ａから最も近い位置に設けられたボルトＢまでの距離ｄ３は、他の角部１４ｂから最も近い位置に設けられたボルトＢまでの距離ｄ４に比べて長い。ここで、蓋部材１４における角部は、他の部分に比べて変形しやすい。角部１４ａから最も近い位置に設けられたボルトＢまでの距離ｄ３を、他の角部１４ｂから最も近い位置に設けられたボルトＢまでの距離ｄ４よりも長くすることで、角部１４ａでのケース本体１２への押しつけ力が弱くなる。このため、密閉ケース１１の内圧が高まると、角部１４ａの周囲が最も早く変形し、蓋部材１４とケース本体１２との間に隙間が形成される。密閉ケース１１内の気体は、この隙間から外部に排出される。このように、角部から最も近いボルトＢまでの距離を異ならせて蓋部材１４の一部を変形しやすくすることで密閉ケース１１の内圧を低下できるようにしてもよく、この場合も、簡易な構成で密閉ケース１１の内圧を低下させることができる。また、ボルトＢ同士の離間距離を等間隔とすることで、密閉ケース１１の内圧を受圧したときにボルトＢにかかる荷重を均一化することができる。このため、ボルトサイズを一定にでき、蓋部材１４におけるボルトＢが設けられる部分の応力集中が少なくなる。なお、角部１４ａ以外の角部でもケース本体１２への押しつけ力が弱くなるようにボルトＢが配置されていてもよい。
【００３４】
○  第１の実施形態において、第１のボルトＢ１と第２のボルトＢ２の離間距離ｄ１は、他のボルトＢ同士の離間距離ｄ２の２倍としたが、これに限られず、離間距離ｄ１が離間距離ｄ２よりも長ければよい。
【００３５】
○  第１の実施形態では、特定の隣り合う二つのボルト（第１のボルトＢ１と第２のボルトＢ２）は、１組だが、特定の隣り合う二つのボルトは、２組以上設けられていてもよい。
【００３６】
○  実施形態において、ボルトＢは、全て同一のボルトとしたが、蓋部材１４の変形に影響を与えない範囲内、あるいは、影響が十分に低い場合であれば、複数の種類のボルトを用いてもよい。
【００３７】
○  第１の実施形態において、第１のボルトＢ１と第２のボルトＢ２の離間距離ｄ１以外は、ボルトＢ同士の離間距離を同一にしたが、異なっていてもよい。例えば、特定の隣り合う二つのボルトとは異なるボルトＢのうち、二つのボルトＢの離間距離を他のボルトＢ同士の離間距離よりも長く、特定の隣り合う二つのボルトの離間距離よりも短くしてもよい。この場合でも、第１のボルトＢ１と第２のボルトＢ２の離間距離が他のボルトＢ同士の離間距離よりも長ければよい。すなわち、特定の隣り合う二つのボルト（第１のボルトＢ１と第２のボルトＢ２）の離間距離が最も長ければよい。
【００３８】
○  実施形態において、電池モジュール２１は単数であってもよい。
○  第１の実施形態において、ケース本体１２の形状を五角筒状や六角筒状などの多角筒状や、円筒状などにしてもよい。また、第２の実施形態において、ケース本体１２の形状を五角筒状や六角筒上など、他の多角形状としてもよい。この場合、ケース本体１２の形状に合わせて蓋部材１４の形状を変更する。
【００３９】
○  実施形態では、電池セル２２に異常が生じたときに生じる気体によって密閉ケース１１の内圧が高まったが、電池パック１０を空輸する際に密閉ケース１１の外圧が低くなることで密閉ケース１１の内圧が外圧に対して相対的に高くなったり、密閉ケース１１の空気が太陽熱で加熱されて内圧が高まる場合などもある。このような場合でも、密閉ケース１１の内圧が高まると、蓋部材１４における第１のボルトＢ１と第２のボルトＢ２の間の部分が変形し、密閉ケース１１の内圧を低下させることができる。
【００４０】
○  第２の実施形態において、ボルトＢ間の離間距離は異なっていてもよい。
○  第２の実施形態において、少なくとも一つの第１領域Ａ１の第１弱領域Ｗ１が受ける二つの近接ボルトＢ３の付勢力の合成力が、第２弱領域Ｗ２が受ける隣接する二つのボルトＢ７，Ｂ８の付勢力の合成力よりも弱ければよい。
【００４１】
○  第２の実施形態において、各角部１４ａ〜１４ｄから二つの近接ボルトＢ３までの距離ｄ５は異なっていてもよい。すなわち、近接ボルトＢ３とは、各角部１４ａ〜１４ｄに最も近いボルトＢが二つある場合には、このボルトＢの事を示し、各角部１４ａ〜１４ｄに最も近いボルトＢが一つのみの場合には、各角部１４ａ〜１４ｄに最も近いボルトＢと、このボルトＢの次に各角部１４ａ〜１４ｄに近いボルトＢが近接ボルトとなる。
【００４２】
○  第２の実施形態において、隣接する二つのボルトＢは、いずれか一方が開口部３３側にずれて配置されてもよい。この場合、隣接する二つのボルトＢから、第２弱領域Ｗ２までの距離が異なる。
【００４３】
○  第２の実施形態において、各ボルトＢ同士の離間距離は異なっていてもよい。また、各角部１４ａ〜１４ｄから近接ボルトＢ３までの距離と、ボルトＢ同士の離間距離が異なっていてもよい。
【００４４】
次に、上記実施形態及び別例から把握することができる技術的思想について説明する。
（イ）前記ボルトは、同一のボルトであることを特徴とする請求項１〜請求項３のうちいずれか一項に記載の電池パック。
【符号の説明】
【００４５】
Ａ１…第１領域、Ｂ…ボルト、Ｂ１…第１のボルト、Ｂ２…第２のボルト、Ｂ３…近接ボルト、１０…電池パック、１１…密閉ケース、１２…ケース本体、１４…蓋部材、２１…電池モジュール、２２…電池セル。
【図１】
2015028907.tif 000003
【図２】
2015028907.tif 000004
【図３】
2015028907.tif 000005
【図４】
2015028907.tif 000006
【図５】
2015028907.tif 000007
【図６】
2015028907.tif 000008
【図７】
2015028907.tif 000009
【手続補正書】
【提出日】平成26年12月17日(2014.12.17)
【手続補正１】
【補正対象書類名】特許請求の範囲
【補正対象項目名】請求項３
【補正方法】変更
【補正の内容】
【請求項３】
開口部を有するケース本体と、
当該ケース本体の前記開口部を形成する開口縁部上に設けられ、前記開口部を閉塞する多角形状の蓋部材と、
前記蓋部材を前記開口縁部に締結する複数のボルトと、を有する密閉ケースと、
前記密閉ケースに収容された電池セルと、を備えた電池パックであって、
前記複数のボルトは、前記蓋部材の角部に近接する二つの近接ボルトと、前記二つの近接ボルトよりも前記角部から離間した位置に設けられる他のボルトからなり、
前記蓋部材の前記開口縁部と対向する部分において、前記二つの近接ボルト各々から付勢力を受ける領域を第１領域とし、前記他のボルトのうち隣接する二つのボルト各々から付勢力を受ける領域を第２領域とした場合、
複数の前記第１領域のうち少なくとも一つの前記第１領域において、前記二つの近接ボルトから受ける付勢力の合成力が最も弱い部分は、前記角部であり、前記第２領域において、前記隣接する二つのボルトから受ける付勢力の合成力が最も弱い部分は、前記隣接する二つのボルトを結ぶ仮想線の中点から前記蓋部材における前記中点に最も近い辺に向けて延びる垂線と前記辺との交点であり、
前記角部の付勢力は、前記交点の付勢力よりも弱いことを特徴とする電池パック。
【手続補正２】
【補正対象書類名】明細書
【補正対象項目名】０００９
【補正方法】変更
【補正の内容】
【０００９】
上記課題を解決する電池パックは、開口部を有するケース本体と、当該ケース本体の前記開口部を形成する開口縁部上に設けられ、前記開口部を閉塞する多角形状の蓋部材と、前記蓋部材を前記開口縁部に締結する複数のボルトと、を有する密閉ケースと、前記密閉ケースに収容された電池セルと、を備えた電池パックであって、前記複数のボルトは、前記蓋部材の角部に近接する二つの近接ボルトと、前記二つの近接ボルトよりも前記角部から離間した位置に設けられる他のボルトからなり、前記蓋部材の前記開口縁部と対向する部分において、前記二つの近接ボルト各々から付勢力を受ける領域を第１領域とし、前記他のボルトのうち隣接する二つのボルト各々から付勢力を受ける領域を第２領域とした場合、複数の前記第１領域のうち少なくとも一つの前記第１領域において、前記二つの近接ボルトから受ける付勢力の合成力が最も弱い部分は、前記角部であり、前記第２領域において、前記隣接する二つのボルトから受ける付勢力の合成力が最も弱い部分は、前記隣接する二つのボルトを結ぶ仮想線の中点から前記蓋部材における前記中点に最も近い辺に向けて延びる垂線と前記辺との交点であり、前記角部の付勢力は、前記交点の付勢力よりも弱いことを要旨とする。